(57)【特許請求の範囲】
【請求項１】
用紙が排出される傾斜した収容トレイと、
前記収容トレイ上の用紙束を揃える整合部材と、
前記傾斜の低い側から高い方へ前記揃えた用紙束を押出して、該用紙束を所定の目標位置へ移動させる押出部材と、
前記目標位置に移動した用紙束を前記傾斜の低い側から支持し、該用紙束を前記目標位置に保持する保持部材とを備え、
前記保持部材は、
前記押出しを完了したときの前記押出部材の近傍で前記収容トレイの積載面から出退可能であり、前記押出部材および用紙束と接触しないように前記出退が制御され、前記押出しの動作に連動して前記積載面から突出することを特徴とする排紙積載装置。
【請求項２】
前記保持部材は、
前記傾斜方向と直交する方向を軸とした回動により、前記出退が可能であり、
前記押出しが行われる際に、前記移動する用紙束と干渉しないように前記積載面から突出する請求項１に記載の排紙積載装置。
【請求項３】
前記押出しの動作に連動して前記保持部材を回動させる駆動機構が、前記積載面の下方に設けられた請求項２に記載の排紙積載装置。
【請求項４】
前記駆動機構は、
前記押出部材に連結しており、前記押出部材とともに移動するスライドカムと、
前記保持部材に連結しており、前記スライドカムに押されて前記保持部材を前記積載面から突出させるように構成されたリンク機構と
を備えた請求項３に記載の排紙積載装置。
【請求項５】
前記駆動機構は、
前記押出しが行われる際に、前記押出部材を追い越さないように前記保持部材を前記積載面から突出させる請求項４に記載の排紙積載装置。
【請求項６】
前記押出部材は、
前記保持部材の突出が完了した後に前記押出しの方向と逆向きに移動することで、前記保持部材へ用紙束を受け渡す請求項４または請求項５に記載の排紙積載装置。
【請求項７】
前記収容トレイは、前記傾斜した状態から水平となる状態へ回動可能であり、
前記水平となった収容トレイ上の用紙束を、該収容トレイに近接配置された排紙スタッカーへ移動させる機構を有した請求項４から請求項６の何れかに記載の排紙積載装置。
【請求項８】
前記保持部材は、
前記収容トレイの回動の際には、前記積載面から突出した姿勢を保つようにロックがなされており、
前記排紙スタッカーへの用紙束の移動開始後に、前記ロックが解除されて前記積載面上から退避する請求項７に記載の排紙積載装置。
【請求項９】
前記傾斜と直交する方向に前記排紙スタッカーが設けられており、
複数の前記保持部材それぞれが、前記傾斜方向へずれた位置に配置されている請求項７または請求項８に記載の排紙積載装置。
【請求項１０】
前記複数の保持部材に連結した前記リンク機構それぞれは、前記スライドカムの移動によって該スライドカムに順次押されるように配置されている請求項９に記載の排紙積載装置。
【請求項１１】
前記複数の保持部材それぞれに対応するように、前記スライドカムが複数設けられている請求項９に記載の排紙積載装置。
【発明の詳細な説明】
【技術分野】
【０００１】
本発明は、複写機などに用いられる排紙積載装置に関する。
【背景技術】
【０００２】
従来、画像形成装置等から排出された用紙束を積載する排紙積載装置が利用されている。排紙積載装置としては、例えば用紙が排出される傾斜した収容トレイを有し、用紙束を揃えた上でその用紙束を押出して、所定位置へ移動させるものがある。
【０００３】
このような排紙積載装置では、所定位置に移動した用紙束を傾斜の低い側から支持するため、用紙束を所定位置に保持する保持部材が設けられる。保持部材は、例えば収容トレイの下側から突出し、用紙束が傾斜を下るように位置ずれすることを防止する。
【先行技術文献】
【特許文献】
【０００４】
【特許文献１】特開平９−２２７０１４号公報
【特許文献２】米国特許第８５２３１６６号明細書
【発明の概要】
【発明が解決しようとする課題】
【０００５】
保持部材の突出動作を簡略化する機構として、例えば、保持部材を突出方向にばね付勢しておき、押出部材の所定位置停止手前でロックが解除されることにより、保持部材を突出させるものが考えられる。
【０００６】
しかし、押出部材により移動中の用紙束を所定位置で整合性良く停止させるためには、停止手前でその速度を遅くする必要があるが、保持部材の突出速度が速いと用紙束を蹴飛ばしてしまう。このような事態を防ぐためには、保持部材の動きが適切に制御される必要がある。本発明はこのような問題点に鑑み、保持部材による用紙束の蹴飛ばし等を回避することが可能となる排紙積載装置の提供を目的とする。
【課題を解決するための手段】
【０００７】
本発明に係る排紙積載装置は、用紙が排出される傾斜した収容トレイと、前記収容トレイ上の用紙束を揃える整合部材と、前記傾斜の低い側から高い方へ前記揃えた用紙束を押出して、該用紙束を所定の目標位置へ移動させる押出部材と、前記目標位置に移動した用紙束を前記傾斜の低い側から支持し、該用紙束を前記目標位置に保持する保持部材とを備え、前記保持部材は、前記押出しを完了したときの前記押出部材の近傍で前記収容トレイの積載面から出退可能であり、前記押出部材および用紙束と接触しないように前記出退が制御される構成とする。本構成によれば、保持部材による用紙束の蹴飛ばし等を回避することが可能となる。
【０００８】
また上記構成としてより具体的には、前記保持部材は、前記傾斜方向と直交する方向を軸とした回動により、前記出退が可能であり、前記押出しが行われる際に、前記移動する用紙束と干渉しないように前記積載面から突出する構成としてもよい。また上記構成としてより具体的には、前記押出しの動作に連動して前記保持部材を回動させる駆動機構が、前記積載面の下方に設けられた構成としてもよい。
【０００９】
また上記構成としてより具体的には、前記駆動機構は、前記押出部材に連結しており、前記押出部材とともに移動するスライドカムと、前記保持部材に連結しており、前記スライドカムに押されて前記保持部材を前記積載面から突出させるように構成されたリンク機構とを備えた構成としてもよい。
【００１０】
また上記構成としてより具体的には、前記駆動機構は、前記押出しが行われる際に、前記押出部材を追い越さないように前記保持部材を前記積載面から突出させる構成としてもよい。また上記構成としてより具体的には、前記押出部材は、前記保持部材の突出が完了した後に前記押出しの方向と逆向きに移動することで、前記保持部材へ用紙束を受け渡す構成としてもよい。
【００１１】
また上記構成としてより具体的には、前記収容トレイは、前記傾斜した状態から水平となる状態へ回動可能であり、前記水平となった収容トレイ上の用紙束を、該収容トレイに近接配置された排紙スタッカーへ移動させる機構を有した構成としてもよい。
【００１２】
また上記構成としてより具体的には、前記保持部材は、前記収容トレイの回動の際には、前記積載面から突出した姿勢を保つようにロックがなされており、前記排紙スタッカーへの用紙束の移動開始後に、前記ロックが解除されて前記積載面上から退避する構成としてもよい。
【００１３】
また上記構成としてより具体的には、前記傾斜と直交する方向に前記排紙スタッカーが設けられており、複数の前記保持部材それぞれが、前記傾斜方向へずれた位置に配置されている構成としてもよい。
【００１４】
また上記構成としてより具体的には、前記複数の保持部材に連結した前記リンク機構それぞれは、前記スライドカムの移動によって該スライドカムに順次押されるように配置されている構成としてもよい。また上記構成としてより具体的には、前記複数の保持部材それぞれに対応するように、前記スライドカムが複数設けられている構成としてもよい。
【発明の効果】
【００１５】
本発明に係る排紙積載装置によれば、保持部材による用紙束の蹴飛ばし等を回避することが可能となる。
【図面の簡単な説明】
【００１６】
【図１】本実施形態に係る排紙積載装置を備えた複写機の外観図である。
【図２】当該排紙積載装置の外観斜視図である。
【図３】当該排紙積載装置の動作の流れに関する説明図である。
【図４】当該排紙積載装置の動作の流れに関する説明図である。
【図５】当該排紙積載装置の動作の流れに関する説明図である。
【図６】当該排紙積載装置の動作の流れに関する説明図である。
【図７】本実施形態に係る駆動機構の構成図である。
【図８】当該駆動機構の別の視点から見た構成図である。
【図９】押出し動作の開始前における当該駆動機構の説明図である。
【図１０】当該駆動機構などの動きに関する説明図である。
【図１１】当該駆動機構などの動きに関する説明図である。
【図１２】当該駆動機構などの動きに関する説明図である。
【図１３】当該駆動機構などの動きに関する説明図である。
【図１４】当該駆動機構などの動きに関する説明図である。
【図１５】第１保持部材が退避する動作に関する説明図である。
【図１６】第１保持部材が退避する動作に関する説明図である。
【図１７】第１保持部材が退避する動作に関する説明図である。
【図１８】第１保持部材が退避する動作に関する説明図である。
【図１９】第１保持部材が退避する動作に関する説明図である。
【発明を実施するための形態】
【００１７】
本発明の実施形態について、各図面を参照しながら以下に説明する。但し本発明の内容は、当該実施形態に何ら限定されるものではない。また以下の説明における上下左右および前後の各方向は、図１に示す通りであるとする。また左右方向をＦＤ、前後方向をＣＤと称することがある。
【００１８】
図１は、本実施形態に係る排紙積載装置を備えた複写機１の外観図である。本図に示すように複写機１は、排紙積載装置２および画像形成装置３を備えている。また排紙積載装置２は、収容トレイ２１や排紙スタッカー２２等を有している。
【００１９】
画像形成装置３は、原稿から読取られた画像等を用紙に印刷し、印刷済みの用紙を左方向へ（収容トレイ２１に向けて）排出する。排紙積載装置２は、画像形成装置３から排出された用紙を収容トレイ２１上に一時的に積載した後、排紙スタッカー２２へ送り出す。
【００２０】
図２は、排紙積載装置２の外観斜視図である。本図に示すように排紙積載装置２は、収容トレイ２１および排紙スタッカー２２に加え、排紙部２３、ＣＤ整合板２４ａ、ＦＤ整合板２４ｂ、ガイド部材２５、押出部材２６、第１保持部材２７ａ、第２保持部材２７ｂ、およびステープラー２８を有している。
【００２１】
収容トレイ２１は、左から右に向けて下がるように傾斜しており、その積載面には、画像形成装置３から排紙部２３を介して左向きに排出される用紙が積載される。なお、収容トレイ２１は、左端付近にある前後方向に伸びる軸を中心として、傾斜した状態から水平となる状態へ回動可能である。
【００２２】
排紙スタッカー２２は、収容トレイ２１の前方に近接するよう設置されている。後述するように収容トレイ２１上の用紙束は、所定の処理を経た後に、排紙スタッカー２２へ移されることになる。なお、排紙スタッカー２２は、収容トレイ２１の前方に設置される代わりに、例えば収容トレイ２１の左方に近接するよう設置されてもよい。
【００２３】
ＣＤ整合板２４ａは、用紙束を挟んでガイド部材２５と対向する位置にあり、収容トレイ２１上の用紙束を前後方向（ＣＤ）へ揃える役割を果たす。またＦＤ整合板２４ｂは、用紙束の左方に位置し、収容トレイ２１上の用紙束を左右方向（ＦＤ）へ揃える役割を果たす。
【００２４】
押出部材２６は、左方（収容トレイ２１の傾斜の高い方）へ揃えられた用紙束を押出して、当該用紙束を所定の目標位置（排紙スタッカー２２への排紙開始の位置）へ移動させる。なお、本実施形態では、用紙束の仕分けを可能とするため、目標位置として第１目標位置と第２目標位置がある。押出部材２６は、例えば、複合機１の印刷ジョブが更新される度に、用紙束を押出す位置を第１目標位置と第２目標位置の間で切替える。
【００２５】
第２目標位置は第１目標位置より左方に位置する。このように第１目標位置と第２目標位置は左右方向にずれているため、第１目標位置から排紙スタッカー２２へ移された用紙束と、第２目標位置から排紙スタッカー２２へ移された用紙束は、互いに排紙スタッカー２２上においてずれて積み重なる（仕分けられる）ことになる。
【００２６】
第１保持部材２７ａと第２保持部材２７ｂ（以下、これらを「保持部材２７」と総称することがある）は、前後方向（収容トレイ２１の傾斜方向と直交する方向）を軸とした回動により、収容トレイ２１の積載面からの出退（積載面から突出した状態と退避した状態との切替）が可能である。
【００２７】
第１保持部材２７ａは、第１目標位置への押出しを完了したときの押出部材２６の近傍で、収容トレイ２１の積載面に出退可能である。第１保持部材２７ａは、第１目標位置に移動した用紙束を右側（収容トレイ２１の傾斜の低い側）から支持し、当該用紙束を第１目標位置に保持する役割を果たす。
【００２８】
第２保持部材２７ｂは、第２目標位置への押出しを完了したときの押出部材２６の近傍で、収容トレイ２１の積載面に出退可能である。第２保持部材２７ｂは、第２目標位置に移動した用紙束を右側から支持し、当該用紙束を第２目標位置に保持する役割を果たす。ステープラー２８は、収容トレイ２１上の用紙束にステープル処理を施す。
【００２９】
排紙積載装置２の動作（ここでは、用紙束が第１目標位置へ押出される場合を想定する）の流れについて、図３から図６を参照しながら以下に説明する。まず図３に示すように、排紙部２３から排出された用紙は、順次ＣＤ整合板２４ａとＦＤ整合板２４ｂにより、所定の整合基準に突き当てられて揃えられる。その後、図４に示すように、揃えられた用紙束は押出部材２６によって、第１目標位置に向けて押出される。
【００３０】
用紙束が第１目標位置まで押出される過程で、図５に示すように、第１保持部材２７ａが収容トレイ２１の積載面から突出する。また押出部材２６は、第１保持部材２７ａの突出が完了した後に押出方向と逆向きに移動することで、第１保持部材２７ａへ用紙束を受け渡す。この状態では、第１目標位置にある用紙束が第１保持部材２７ａに支持され、用紙束のずれ下がりは防止される。
【００３１】
その後に収容トレイ２１は、図６に示すように、傾斜した状態から水平となる状態へ回動する。そして水平となった収容トレイ２１上の用紙束は、例えばガイド板２５に押されることにより、前方にある排紙スタッカー２２へ移される。
【００３２】
なお、第１保持部材２７ａは、収容トレイ２１の回動の際にその積載面から突出した姿勢を保つようにロックがなされており、排紙スタッカー２２への用紙束の移動開始後に当該ロックが解除され、当該積載面上から退避するようになっている。当該ロックおよびその解除がどのようにして行われるかについては、後の説明で明らかとなる。なお、用紙束が第２目標位置へ押出される場合には、第１保持部材２７ａの代わりに第２保持部材２７ｂが用いられる点等を除き、基本的に上記と同様の動作が行われる。
【００３３】
また排紙積載装置２には、押出部材２６の押出しの動作に連動して保持部材２７の回動を実現させる駆動機構が、収容トレイ２１の積載面の下方に設けられている。この駆動機構を用いて、保持部材２７は、押出部材２６および用紙束と接触しないように、収容トレイ２１の積載面からの出退が制御されるようになっている。
【００３４】
図７および図８は、それぞれ異なる視点から見た場合の当該駆動機構の構成を示している。また図９は、押出し動作の開始前における当該駆動機構を、前方視点から見た図となっている。これらの図に示すように、当該駆動機構は、スライドカム３１、第１リンク機構Ｌａ、および第２リンク機構Ｌｂなどを有している。
【００３５】
スライドカム３１は押出部材２６に連結しており、図８の白色矢印で示すように、押出部材２６とともに収容トレイ２１の傾斜に沿って移動する。第１リンク機構Ｌａは、第１保持部材２７ａに対応したリンク機構であり、リンク部３２ａ（スライドカム３１との作用点を含む）と回動軸３３ａを有している。また第２リンク機構Ｌｂは、第２保持部材２７ｂに対応したリンク機構であり、リンク部３２ｂ（スライドカム３１との作用点を含む）と回動軸３３ｂを有している。
【００３６】
第１リンク機構Ｌａは、第１保持部材２７ａに連結しており、スライドカム３１の軌跡上へ突出したリンク部３２ａを含む部分が回動軸３３ａを中心に回動可能となっている。これにより第１リンク機構Ｌａは、リンク部３２ａがスライドカム３１に押されて、第１保持部材２７ａを収容トレイ２１の積載面から突出させるように構成されている。
【００３７】
第２リンク機構Ｌｂは、第２保持部材２７ｂに連結しており、スライドカム３１の軌跡上へ突出したリンク部３２ｂを含む部分が回動軸３３ｂを中心に回動可能となっている。これにより第２リンク機構Ｌｂは、リンク部３２ｂがスライドカム３１に押されて、第２保持部材２７ｂを収容トレイ２１の積載面から突出させるように構成されている。
【００３８】
次に、押出部材２６による押出し動作の実行時における駆動機構などの動きについて、図９から図１４を参照しながら説明する。
【００３９】
図９に示す状態では、押出部材２６が用紙束を支持しているが、スライドカム３１は、第１リンク機構Ｌａおよび第２リンク機構Ｌｂの何れにも接触していない。この状態から押出部材２６とスライドカム３１が、収容トレイ２１の傾斜を上るように一体的に移動することになる。
【００４０】
第１リンク機構Ｌａのリンク部３２ａがスライドカム３１に押される段階に入ると、図１０および図１１に示すように、リンク部３２ａがスライドカム３１の周面に沿って移動する。これにより、回動軸３３ａを中心としたリンク部３２ａの回動を伴いながら、第１保持部材２７ａが回動することで、第１保持部材２７ａの突出が進行する。なお、スライドカム３１におけるリンク部３２ａと接触する周面の形状は、スライドカム３１の移動に伴って第１保持部材２７ａが徐々に突出するように設定されている。
【００４１】
そしてスライドカム３１が図１２に示す位置へ達すると、第１保持部材２７ａの突出が完了する。なお、スライドカム３１の形状等は、第１保持部材２７ａが一度も押出部材２６を追い越さないように設定されている。
【００４２】
また第１保持部材２７ａの突出が完了した段階では、第１リンク機構Ｌａの一部が第１保持部材２７ａの下部に係合する。これにより第１保持部材２７ａは、処理トレイ２１の積載面から突出した状態を保つようにロックされた状態となる（図１２の「ロック部」を参照）。
【００４３】
このようにスライドカム３１等を含む駆動機構は、押出部材２６による押出しが行われる際に、押出部材２６を追い越さないように第１保持部材２７ａを収容トレイ２１の積載面から突出させる。また図１２に示す第１保持部材２７ａの突出が完了した状態では、第１保持部材２７ａは、押出部材２６より所定量（例えば2mm程度）だけ右側に位置する。
【００４４】
用紙束を第１目標位置へ押出す際には、押出部材２６による押出し動作はこの段階で完了する。一方、用紙束を第２目標位置へ押出す際には、押出部材２６とスライドカム３１は、この段階から更に収容トレイ２１の傾斜を上るように左方へ移動する。そして図１３に示すように、今度は、第２リンク機構Ｌｂの方のリンク部３２ｂがスライドカム３１の周面に沿って移動する。
【００４５】
この場合には、回動軸３３ｂを中心としたリンク部３２ｂの回動を伴いながら、第２保持部材２７ｂが回動することで、第２保持部材２７ｂの突出が進行する。なお、第１保持部材２７ａの場合と同様、スライドカム３１の移動に伴って第２保持部材２７ｂが徐々に突出する。そしてスライドカム３１が図１４に示す位置へ達すると、第２保持部材２７ｂの突出が完了する。ここまでの過程において、第２保持部材２７ｂは一度も押出部材２６を追い越さないようになっている。
【００４６】
また第２保持部材２７ｂの突出が完了した段階では、第１保持部材２７ａの場合と同様に、第２リンク機構Ｌｂの一部が第２保持部材２７ｂの下部に係合する。これにより第２保持部材２７ｂは、処理トレイ２１の積載面から突出した状態を保つようにロックされた状態となる。また図１４に示す第２保持部材２７ｂの突出が完了した状態では、第２保持部材２７ｂは、押出部材２６より所定量（例えば2mm程度）だけ右側に位置する。
【００４７】
以上の説明から明らかであるように本実施形態では、押出部材２６による押出しが行われる際、第１保持部材２７ａおよび第２保持部材２７ｂは、移動する用紙束と干渉しないように収容トレイ２１の積載面から突出することになる。そのため、第１保持部材２７ａおよび第２保持部材２７ｂによる用紙束の蹴飛ばし等は回避されることになる。
【００４８】
また、仮に押出部材２６の移動が速過ぎると、押出部材２６が目標位置に合わせて停止しても、用紙束は慣性で目標位置を超えてしまうことが懸念される。本実施形態ではこのような事態を防ぐため、第１保持部材２７ａや第２保持部材２７ｂが押出部材２６を追い越さないようにしながらも、押出部材２６の移動速度は速過ぎることのないように適切に設定されている。
【００４９】
なお、本実施形態のスライドカム３１は、第１保持部材２７ａと第２保持部材２７ｂの何れにも対応する兼用型となっている。具体的には、複数の保持部材（２７ａ、２７ｂ）に連結した各リンク機構（Ｌａ、Ｌｂ）は、スライドカム３１の移動によってスライドカム３１に順次押されるように配置されている。但しスライドカムの形態はこれに限られず、第１保持部材２７ａと第２保持部材２７ｂのそれぞれに対応するように、スライドカムが複数設けられるようにしてもよい。
【００５０】
次に、第１保持部材２７ａが収容トレイ２１の積載面から退避する動作について説明する。図１５から図１９は、第１保持部材２７ａが収容トレイ２１の積載面から退避する動作の様子を、前方視点から見た図となっている。なお、各図において、「＋」で示す箇所は各部材の回転支点を示しており、αからηで示す矢印は各部材の回転方向或いは直進方向を示している。
【００５１】
まず図１５に示すように、収容トレイ２１の下方には、左右方向へスライド可能である解除部材４１、および回動可能である解除アーム４２が設けられている。水平となっている収容トレイ２１（昇降トレイ）が矢印αで示すように降下（回転）を始めると、これに伴って、解除アーム４２が矢印βで示すように回転し始める。
【００５２】
収容トレイ２１の降下が進むと、図１６に示すように、解除アーム４２の上側先端が解除部材４１に当たり、矢印γで示すように解除部材４２を右方へスライドさせていく。なお、解除部材４２の右側先端部には傾斜が設けられており、第１リンク機構Ｌａの一部がこの傾斜に押されて上方へ押し上げられるようになっている。
【００５３】
より詳細に説明すると、第１リンク機構Ｌａは、図１７に示すようにリンク１からリンク３の各々が連結した形態となっている。そしてリンク１と同じ回転支点をもつように設けられたリンク２が、解除部材４１の傾斜に押されて上方へ押し上げられる。これに伴ってリンク１も回転し、第１保持部材２７ａをロックしていた部分が矢印δで示すように回転する。
【００５４】
これにより、第１保持部材２７ａはリンクの支えが外れ（ロックが解除され）、矢印ηで示すように退避を開始する。なお、収容トレイ２１が持ち上がる際には、解除部材４１が左方へ移動する。このときに解除部材４１と干渉しても問題無いようにリンク１とリンク２は分かれており、リンク２は、図１７での反時計回り方向にはフリーで回転し、時計回り方向にはリンク１と一体で回転する。
【００５５】
また図１８に示すように、リンク１の「ｐ」で示す部分と第１保持部材２７ａの「ｑ」で示す部分は、リンク３によって繋がれている。そのため、排出途中の用紙が第１保持部材２７ａの上に重なり、これが第１保持部材２７ａの退避の抵抗となっても、リンク３の働きで第１保持部材２７ａを確実に退避させることが出来る。
【００５６】
そして最終的には、図１９に示すように第１保持部材２７ａは十分に下がり、第１保持部材２７ａの退避が完了することになる。なお、以上の通り、第１保持部材２７ａが収容トレイ２１の積載面から退避する動作について説明したが、第２保持部材２７ｂが収容トレイ２１の積載面から退避する動作についても、基本的に第１保持部材２７ａの場合と同様である。
【００５７】
これまでに説明したように排紙積載装置２は、用紙が排出される傾斜した収容トレイ２１と、収容トレイ２１上の用紙束を揃える各整合板（２４ａ、２４ｂ）と、傾斜の低い側から高い方へ揃えた用紙束を押出して、用紙束を目標位置へ移動させる押出部材２６と、目標位置に移動した用紙束を傾斜の低い側から支持し、用紙束を目標位置に保持する各保持部材（２７ａ、２７ｂ）を備えている。
【００５８】
また各保持部材（２７ａ、２７ｂ）は、押出しを完了したときの押出部材２６の近傍で収容トレイ２１の積載面から出退可能であり、押出部材２６および用紙束と接触しないように前記出退が制御されるようになっている。そのため各保持部材（２７ａ、２７ｂ）による用紙束の蹴飛ばし等を回避することが可能となっている。
【００５９】
また従来の技術によれば、保持部材の突出速度と押出部材の移動速度をともに適切に設定することは容易ではない。この点について本実施形態では、先述した駆動機構を備えることでこのような設定を可能とし、用紙束の蹴飛ばし等を回避するとともに動作時間を短くして、良好な生産性を得ることが可能である。
【００６０】
なお、当該駆動機構を備えることにより、押出部材の移動速度を保持部材に比べて速くし過ぎることによる問題（例えば押出部材が目標位置で停止しても、用紙束が慣性でオーバーランして用紙束の揃い性が悪化すること）も解消され得る。また本実施形態では、押出部材の所定位置停止完了後に保持部材を突出させるために、機械の大型化やコストアップを招くことも極力抑えられる。
【００６１】
以上、本発明の実施形態について具体例を挙げて説明したが、本発明はその内容に限定されるものではない。本発明はその趣旨を逸脱しない範囲において、様々な具体的形態により実施され得る。
【産業上の利用可能性】
【００６２】
本発明は、例えば用紙を排出する複写機などに利用可能である。
【符号の説明】
【００６３】
１        複写機
２        排紙積載装置
３        画像形成装置
２１      収容トレイ
２２      排紙スタッカー
２３      排紙部
２４ａ    ＣＤ整合板
２４ｂ    ＦＤ整合板
２５      ガイド部材
２６      押出部材
２７ａ    第１保持部材
２７ｂ    第２保持部材
２８      ステープラー
３１      スライドカム
３２ａ、３２ｂ    リンク部
３３ａ、３３ｂ    回動軸
４１      解除部材
４２      解除アーム
Ｌａ      第１リンク機構
Ｌｂ      第２リンク機構
【図１】
0006379919.tif 000002
【図２】
0006379919.tif 000003
【図３】
0006379919.tif 000004
【図４】
0006379919.tif 000005
【図５】
0006379919.tif 000006
【図６】
0006379919.tif 000007
【図７】
0006379919.tif 000008
【図８】
0006379919.tif 000009
【図９】
0006379919.tif 000010
【図１０】
0006379919.tif 000011
【図１１】
0006379919.tif 000012
【図１２】
0006379919.tif 000013
【図１３】
0006379919.tif 000014
【図１４】
0006379919.tif 000015
【図１５】
0006379919.tif 000016
【図１６】
0006379919.tif 000017
【図１７】
0006379919.tif 000018
【図１８】
0006379919.tif 000019
【図１９】
0006379919.tif 000020